(57)【要約】【課題】電極基板から引き出された電極ケーブルの収納性を向上する。【解決手段】本発明は、被測定流体が流れる流路を有する計測管と、前記流路内に発生する起電力を取り出す電極と、前記電極によって取り出された前記起電力に基づく信号を出力する電極基板と、前記電極基板から出力された前記信号を伝達する電極ケーブルと、前記計測管を覆う内側シールド部材と、を備え、前記内側シールド部材で覆われる空間の内部には、前記電極と、前記電極基板と、前記電極ケーブルと、が配置され、前記内側シールド部材は、上面に、前記電極ケーブルを引き出すためのスリット部を有することを特徴とする。【選択図】図４
2019191084.tif 000002
【特許請求の範囲】
【請求項１】
被測定流体が流れる流路を有する計測管と、
前記流路内に発生する起電力を取り出す電極と、
前記電極によって取り出された前記起電力に基づく信号を出力する電極基板と、
前記電極基板から出力された前記信号を伝達する電極ケーブルと、
前記計測管を覆う内側シールド部材と、
を備え、
前記内側シールド部材で覆われる空間の内部には、前記電極と、前記電極基板と、前記電極ケーブルと、が配置され、
前記内側シールド部材は、上面に、前記電極ケーブルを引き出すためのスリット部を有することを特徴とする電磁流量計。
【請求項２】
前記内側シールド部材は、第１サブスリットを有する第１内側シールド部材と、第２サブスリットを有する第２内側シールド部材と、を含み、
前記スリット部は、前記第１サブスリット及び前記第２サブスリットが結合することにより構成されていることを特徴とする請求項１に記載の電磁流量計。
【請求項３】
前記第１内側シールド部材及び前記第２内側シールド部材は、上面がコの字型に形成されることで前記第１サブスリット及び前記第２サブスリットを形成していることを特徴とする請求項２に記載の電磁流量計。
【請求項４】
前記内側シールド部材を覆うように構成された中間シールド部材をさらに含み、
前記中間シールド部材は、前記内側シールド部材の上面と平行に折り曲げられた屈曲部を有することを特徴とする請求項１乃至３のいずれか１項に記載の電磁流量計。
【請求項５】
前記屈曲部は、前記屈曲部において前記スリット部と前記流路の流路方向で重なる部分の端部が、前記スリット部の端部よりも前記スリット部の中央側に向けて突出しないように構成されていることを特徴とする請求項４に記載の電磁流量計。
【請求項６】
前記屈曲部は、前記内側シールド部材の上面における、前記スリット部の上流側及び下流側のいずれかの面を覆うように前記スリット部の中央側に突出して形成された規制部を有することを特徴とする請求項４又は５に記載の電磁流量計。
【請求項７】
少なくとも前記計測管及び前記内側シールド部材を内部に収容するケース体をさらに含み、
前記ケース体の内部には、前記内側シールド部材の前記スリット部から引き出された前記電極ケーブルを引っ掛けるための爪部材が設けられていることを特徴とする請求項１乃至６のいずれか１項に記載の電磁流量計。
【請求項８】
前記内側シールド部材は、非磁性材料で形成されていることを特徴とする請求項１乃至７のいずれか１項に記載の電磁流量計。
【請求項９】
前記スリット部の両端部よりも、前記電極基板において前記電極ケーブルが接続される側の端面が内側にあることを特徴とする請求項１乃至８のいずれか１項に記載の電磁流量計。
【請求項１０】
前記電極は、前記電極の一部を前記電極基板側に向けて突出させた凸部であって、前記電極と前記電極基板とを電気的に接続する凸部を有し、
前記凸部は、前記電極基板の外側に回り込んで前記電極基板に固定されていることを特徴とする請求項１乃至９のいずれか１項に記載の電磁流量計。
【請求項１１】
電磁流量計の計測管の周囲に設ける内側シールド部材であって、上面にスリット部を有することを特徴とする内側シールド部材。
【請求項１２】
前記内側シールド部材は、第１サブスリットを有する第１内側シールド部材と、第２サブスリットを有する第２内側シールド部材と、を含み、
前記スリット部は、前記第１サブスリット及び前記第２サブスリットが結合することにより構成されていることを特徴とする請求項１１に記載の内側シールド部材。
【請求項１３】
前記第１内側シールド部材及び前記第２内側シールド部材は、上面がコの字型に形成されていることを特徴とする請求項１２に記載の内側シールド部材。
【発明の詳細な説明】
【技術分野】
【０００１】
本発明は、流路内を流れる被測定流体の流量を測定可能な電磁流量計に関する。
【背景技術】
【０００２】
従来から、工場をはじめとした流体管理が必要な現場などにおいて、電磁流量計が多く利用されている（例えば、特許文献１参照）。特許文献１に記載のような電磁流量計では、励磁コイルにより被測定流体が流れる流路内に磁場を形成することによって流路内の被測定流体に発生した起電力を取り出す一対の電極や、一対の電極にそれぞれ接続された一対の電極基板などが、計測管の周囲に配置したシールドなどの構造物の内側に収容されている。一対の電極基板には電極基板からの信号出力を取り出すための電極ケーブルがそれぞれ接続されている。
【先行技術文献】
【特許文献】
【０００３】
【特許文献１】特許第４７２１０７３号公報
【発明の概要】
【発明が解決しようとする課題】
【０００４】
特許文献１に記載の構成においては、電極基板から信号出力を取り出すための電極ケーブルは、シールドに設けられた取り出し孔を通じてシールドから外部に引き出されている。しかしながら、電磁流量計を小型化していくにつれて、電極ケーブルをシールドから引き出すスペースや引き回すためのスペースが小さくなる。そのため、電極ケーブルの引き回し操作の作業性が悪いという課題があった。また、電極ケーブルと周囲の構造物との位置関係などを考慮しないと、その外側に配置されるシールド等に電極ケーブルが噛み込まれてしまうため、電極ケーブルが破損してしまうなどの課題があった。
【課題を解決するための手段】
【０００５】
本発明の一態様に係る電磁流量計は、被測定流体が流れる流路を有する計測管と、前記流路内に発生する起電力を取り出す電極と、前記電極によって取り出された前記起電力に基づく信号を出力する電極基板と、前記電極基板から出力された前記信号を伝達する電極ケーブルと、前記計測管を覆う内側シールド部材と、を備え、前記内側シールド部材で覆われる空間の内部には、前記電極と、前記電極基板と、前記電極ケーブルと、が配置され、前記内側シールド部材は、上面に、前記電極ケーブルを引き出すためのスリット部を有することを特徴とする。
【０００６】
本発明の他の態様に係る電磁流量計によると、前記内側シールド部材は、第１サブスリットを有する第１内側シールド部材と、第２サブスリットを有する第２内側シールド部材と、を含み、前記スリット部は、前記第１サブスリット及び前記第２サブスリットが結合することにより構成されていることを特徴とする。
【０００７】
本発明の他の態様に係る電磁流量計によると、前記第１内側シールド部材及び前記第２内側シールド部材は、上面がコの字型に形成されることで前記第１サブスリット及び前記第２サブスリットを形成していることを特徴とする。
【０００８】
本発明の他の態様に係る電磁流量計によると、前記内側シールド部材を覆うように構成された中間シールド部材をさらに含み、前記中間シールド部材は、前記内側シールド部材の上面と平行に折り曲げられた屈曲部を有することを特徴とする。
【０００９】
本発明の他の態様に係る電磁流量計によると、前記屈曲部は、前記屈曲部において前記スリット部と前記流路の流路方向で重なる部分の端部が、前記スリット部の端部よりも前記スリット部の中央側に向けて突出しないように構成されていることを特徴とする。
【００１０】
本発明の他の態様に係る電磁流量計によると、前記屈曲部は、前記内側シールド部材の上面における、前記スリット部の上流側及び下流側のいずれかの面を覆うように前記スリット部の中央側に突出して形成された規制部を有することを特徴とする。
【００１１】
本発明の他の態様に係る電磁流量計によると、少なくとも前記計測管及び前記内側シールド部材を内部に収容するケース体をさらに含み、前記ケース体の内部には、前記内側シールド部材の前記スリット部から引き出された前記電極ケーブルを引っ掛けるための爪部材が設けられていることを特徴とする。
【００１２】
本発明の他の態様に係る電磁流量計によると、前記内側シールド部材は、非磁性材料で形成されていることを特徴とする。
【００１３】
本発明の他の態様に係る電磁流量計によると、前記スリット部の両端部よりも、前記基板において前記電極ケーブルが接続される側の端面が内側にあることを特徴とする。
【００１４】
本発明の他の態様に係る電磁流量計によると、前記電極は、前記電極の一部を前記電極基板側に向けて突出させた凸部であって、前記電極と前記電極基板とを電気的に接続する凸部を有し、前記凸部は、前記電極基板の外側に回り込んで前記電極基板に固定されていることを特徴とする。
【００１５】
本発明の一態様に係る内側シールド部材は、電磁流量計の計測管の周囲に設ける内側シールド部材であって、上面にスリット部を有することを特徴とする。
【００１６】
本発明の他の態様に係る内側シールド部材によると、前記内側シールド部材は、第１サブスリットを有する第１内側シールド部材と、第２サブスリットを有する第２内側シールド部材と、を含み、前記スリット部は、前記第１サブスリット及び前記第２サブスリットが結合することにより構成されていることを特徴とする。
【００１７】
本発明の他の態様に係る内側シールド部材によると、前記第１内側シールド部材及び前記第２内側シールド部材は、上面がコの字型に形成されていることを特徴とする。
【発明の効果】
【００１８】
本発明の一態様に係る電磁流量計によれば、電極基板からシールド部材の外部に電極ケーブルを引き出す際の作業性を向上することができ、電極ケーブルの引き回しの際に周囲の構造物と干渉しにくくすることが可能となる。
【図面の簡単な説明】
【００１９】
【図１】本発明の一実施形態に係る電磁流量計の外観斜視図である。
【図２】本発明の一実施形態に係る電磁流量計の分解斜視図である。
【図３】本発明の一実施形態に係る電磁流量計の断面図である。
【図４】本発明の一実施形態に係る電磁流量計のシールド部材の上面図である。
【図５】本発明の一実施形態に係る電磁流量計の他の断面図である。
【図６】本発明の一実施形態に係る電磁流量計のブロック図である。
【図７】本発明の他の実施形態に係る電磁流量計のシールド部材の上面図である。
【図８】本発明のさらに他の実施形態に係る電磁流量計を説明するための図である。
【発明を実施するための形態】
【００２０】
（第１実施形態）
以下では、図面を参照して、本発明の第１実施形態について詳細に説明する。図１は本発明の第１実施形態に係る電磁流量計の斜視図である。図１には、ケース体１０と、ケース体１０を覆う外側シールド部材１１と、ケース体１０の内部を貫通するように設けられた計測管１２と、ケース体１０の上方に設けられ、被測定流体の流量や流量測定の測定条件などが表示される表示部２０と、ケース体１０の上方に設けられ、表示部２０の表示内容や流量測定の測定条件を設定するための操作部３０と、を備えた電磁流量計が示されている。以下の図においては、計測管１２の流路方向をｘ軸、ｘ軸に垂直であって外側シールド部材１１の側面が設けられている方向をｙ軸、ｘ軸及びｙ軸に垂直な方向をｚ軸とする。
【００２１】
計測管１２は、被測定流体が流れる流路を内部に有する。図１に示されるように、ケース体１０内の計測管１２が配置される部分において、ケース体１０の側面及び底面を覆うように金属製の外側シールド部材１１が設けられている。外側シールド部材１１は、外部から計測管１２に入来する放射ノイズを遮断する。
【００２２】
図２は、本実施形態に係る電磁流量計の分解斜視図を示す。図２に示されるように、ケース体１０は、概略直方体形状であり、計測管１２の上流側の端部と下流側の端部とに封止部材１４ａ及び１４ｂを介して口金１３ａ及び口金１３ｂをそれぞれ固定するための開口を有している。
【００２３】
図３は、本実施形態における電磁流量計の流路方向と直交する断面における断面図を示す。図２及び図３に示されるように、ケース体１０は、表示部２０と、操作部３０と、表示制御基板４０と、制御基板４１と、励磁基板４２と、を内蔵した制御部ユニット５０を封止部材１４ｃを介して上方に配置するための開口を有している。また、図３に示されるように、ケース体１０の内部には、計測管１２と、後述する内側シールド部材１０１と中間シールド部材１１２と、が収容される。
【００２４】
表示制御基板４０は、制御基板４１からの制御信号に応じて表示部２０や表示部２０のバックライトとして配置されたＬＥＤの制御をすることができる。
【００２５】
励磁基板４２は、電極基板１０３ａ及び１０３ｂの信号出力を伝達する電極ケーブル１１５ａ及び１１５ｂと接続するコネクタ４３及び４４を有する。なお、図３においては、電極ケーブル１１５ａ、１１５ｂを引き出したまま上部に位置するコネクタ４３、４４に対して接続する様子を示しているが、引き出された２つの電極ケーブル１１５ａ、１１５ｂを複数回ねじってから励磁基板４２に対して接続することが好ましい。２つの電極ケーブル１１５ａ、１１５ｂをツイストさせることにより、同相のノイズを除去することができる。励磁基板４２は、電極ケーブル１１５ａ及び１１５ｂを介して出力された電極基板１０３ａ及び１０３ｂの信号出力を受け付け、当該信号出力を制御基板４１に対して出力する。また、励磁基板４２は、励磁コイル１０９とケーブル接続するためのコネクタ４５を有しており、制御基板４１からの制御信号によって励磁コイル１０９に対する励磁電流を制御することができる。
【００２６】
制御基板４１は、励磁基板４２から入力された信号によって励磁コイル１０９から計測管１２内に発生する磁界と、計測管１２を流れる被測定流体の流量との関係に基づいて計測管１２に生じる起電力を電極１０２ａ、１０２ｂを介して取得することで、計測管１２を流れる被測定流体の流量を測定する。制御基板４１は、操作部３０への入力や流量測定等に応じて、表示制御基板４０及び励磁基板４２に対する入出力を制御することができる。また、制御基板４１には、不図示の外部インターフェースを接続することができ、検出した流量などの計測データを送信したり、外部機器からの入力を受けることができる。
【００２７】
計測管１２の上流側及び下流側の端部には、口金１３ａと口金１３ｂとが、Ｏリングなどの封止部材１４ｄ及び１４ｅ（図５にも図示）を介してそれぞれ挿入されて嵌合している。
【００２８】
内側シールド部材１０１は、計測管１２の中央部分の周囲を覆うように設けられている。内側シールド部材１０１は、例えば非磁性材料で形成することができる。図３に示されるように、内側シールド部材１０１は、第１内側シールド部材１０１ａ及び第２内側シールド部材１０１ｂを含む。内側シールド部材１０１の第１内側シールド部材１０１ａ及び第２内側シールド部材１０１ｂで覆われる空間の内部には、計測管１２を中心として互いに対向配置された一対の電極１０２ａ及び１０２ｂと、一対の電極１０２ａ及び１０２ｂの外周側に設けられた電極基板１０３ａ及び１０３ｂと、電極基板１０３ａ及び１０３ｂをそれぞれ保持するための基板ホルダ１０４ａ及び１０４ｂと、が配置される。
【００２９】
電極１０２ａ及び１０２ｂは、例えば電極を構成する銅箔の一部を電極基板１０３ａ及び１０３ｂ側に向けて突出させた凸部１０５ａ、１０５ｂが形成されており、その凸部１０５ａ及び１０５ｂによって電極基板１０３ａ及び１０３ｂにそれぞれ電気的に接続されている。また、電極基板１０３ａ及び１０３ｂは、電極ケーブル１１５ａ及び１１５ｂを介して励磁基板４２のコネクタ４３及び４４に接続されている。なお、この本実施形態のように凸部１０５ａ、１０５ｂは必ずしも電極１０２ａ、１０２ｂと一体に形成されなくても良く、別体に形成されたリード線などの金属部材によって電極１０２ａ、１０２ｂと電極基板１０３ａ、１０３ｂを接続するようにしても良い。
【００３０】
図３に示されるように、凸部１０５ａ及び１０５ｂは、電極基板１０３ａ及び１０３ｂの外側（電極ケーブル１１５ａ及び１１５ｂがそれぞれ接続される面とは反対側の面側）に回り込んで電極基板１０３ａ、１０３ｂに例えば半田付けにより固定されている。電極基板１０３ａ及び１０３ｂが凸部１０５ａ及び１０５ｂに対して内側に設けられているため、その外側に凸部１０５ａ及び１０５ｂを含めた接続部の収容スペースを確保することができる。
【００３１】
電極１０２ａ及び１０２ｂは、計測管１２を流れる被測定流体に生じた起電力を取り出す。電極基板１０３ａ及び１０３ｂは、電極１０２ａ及び１０２ｂで取り出された起電力に基づく信号を出力する。本実施形態においては、例えば、電極基板１０３ａ、１０３ｂのいずれか一方もしくは両方に対してボルテージフォロワ回路を設け、その出力を電極ケーブル１１５ａ、１１５ｂによって取り出し、励磁基板４２上に設けた差動増幅回路などの増幅回路によって増幅することができる。基板ホルダ１０４ａ及び１０４ｂは、計測管１２の外周面に対応する断面円弧状にそれぞれ形成された本体部１０６ａ及び１０６ｂと、電極基板１０３ａ及び１０３ｂをそれぞれ保持可能な保持部１０７ａ及び１０７ｂと、を有する。
【００３２】
計測管１２を挟んで制御部ユニット５０と対向する位置に、計測管１２内に磁界を発生するように鉄芯部１０８に巻回された励磁コイル１０９が配置されている。また、図２に示すように、励磁コイル１０９の上部には、磁界調整部材１１０及び銅箔シール１１１が固定されている。磁界調整部材１１０は、高透磁率材料によって計測管１２の流路方向が長手方向となるような略長方形状に形成されている。磁界調整部材１１０のさらに上方には、例えば円形に形成された銅箔シール１１１が貼り付けられている。磁界調整部材１１０によって、励磁コイル１０９で発生した磁界が磁界調整部材１１０の上面から一様に発生するように調整することができる。それにより、電極１０２ａ及び１０２ｂによる検出電圧のバラつきを低減し、検出精度を向上することができる。
【００３３】
内側シールド部材１０１及び励磁コイル１０９の周囲を覆うように中間シールド部材１１２が設けられている。中間シールド部材１１２は、励磁コイル１０９の底部と側部を覆うように概略コの字状に形成された下側中間シールド部材１１２ａに、上側中間シールド部材１１２ｂをビス固定することによって構成されている。下側中間シールド部材１１２ａは、上方に延びたその両端が内側シールド部材１０１の上部に回り込み、内側シールド部材１０１の上面と平行になるように屈曲した屈曲部１１２ｃを有する。屈曲部１１２ｃの上面を、上側中間シールド部材１１２ｂでビス固定することで、下側中間シールド部材１１２ａ及び上側中間シールド部材１１２ｂで覆われる空間の内部に計測管１２、内側シールド部材１０１及び励磁コイル１０９を収容することができる。
【００３４】
中間シールド部材１１２は、鉄などの強磁性体金属の表面に他の磁性体（例えば、ニッケル）をメッキすることによって形成されている。これによって、外部から入来する放射ノイズを防ぎつつ、中間シールド部材１１２を構成する磁性体によって励磁コイル１０９で発生した磁界に対する磁路を形成している。また、上側中間シールド部材１１２ｂにおける計測管１２側の面上に、例えばパーマロイなどの高透磁率材料を配置してもよい。特に、ｙ方向において計測管１２に重なる部分（中央部分）に設けられていることが好ましく、さらに好ましくは、ｙ方向において計測管１２と重なる部分にのみ設けられる。
【００３５】
図４は、中間シールド部材１１２における上側中間シールド部材１１２ｂを取り外した状態を示す上面図である。図４に示すように、第１内側シールド部材１０１ａは、第２内側シールド部材１０１ｂに取り付けられて固定されている。第１内側シールド部材１０１ａ及び第２内側シールド部材１０１ｂは、それぞれ、第１内側シールド部材１０１ａを第２内側シールド部材１０１ｂに取り付けるための第１取り付け部１０１ａ１及び第２取り付け部１０１ｂ１を有する。第１取り付け部１０１ａ１は、例えば、第１内側シールド部材１０１ａの上面の先端部分に設けられた突起とすることができ、第２取り付け部１０１ｂ１は、例えば、第２内側シールド部材１０１ｂの上面の先端部分に設けられた取り付け孔とすることができる。
【００３６】
例えば、第１取り付け部１０１ａ１としての突起を第２取り付け部１０１ｂ１としての取り付け孔に嵌め込むことによって第１内側シールド部材１０１ａが第２内側シールド部材１０１ｂに固定される。
【００３７】
本実施形態においては、第１内側シールド部材１０１ａと第２内側シールド部材１０１ｂとは、同一構造のものを計測管１２の中心軸対称に設けており、それぞれｙｚ平面において概略コの字状に形成されている。このように構成された第１内側シールド部材１０１ａにおける図３の上方側の部分に第１取付部１０１ａ１を設け、第２内側シールド部材１０１ｂにおける図３の上方側の部分に第２取付部１０１ｂ１を設けている。すなわち、第１内側シールド部材１０１ａにおける図３の下方側の部分には第２取付部に相当する部分が設けられ、第２内側シールド部材１０１ｂにおける図３の下方側の部分には第１取付部に相当する部分が設けられている。第１内側シールド部材１０１ａ及び第２内側シールド部材１０１ｂは、計測管１２の流路方向の中心軸を対象にして配置されている。
【００３８】
内側シールド部材１０１の内側には、電極１０２ａ及び１０２ｂ並びに電極基板１０３ａ及び１０３ｂが収容されている。そのため、励磁基板４２への接続のために、各電極ケーブル１１５ａ及び１１５ｂを各電極基板１０３ａ及び１０３ｂから引き回してその外部へと取り出す必要がある。
【００３９】
図４に示すように、第１内側シールド部材１０１ａ及び第２内側シールド部材１０１ｂは、電極ケーブル１１５ａ及び１１５ｂを引き回して取り出すための第１サブスリット１０１ｃ及び第２サブスリット１０１ｄをその上面にそれぞれ有している。上述したように、第１内側シールド部材１０１ａと第２内側シールド部材１０１ｂとは同一構造のもので構成しているため、それぞれ第１サブスリット１０１ｃと第２サブスリット１０１ｄとの両方を有している。図４に示す例では、第１内側シールド部材１０１ａ及び第２内側シールド部材１０１ｂは、それぞれ、ｙ方向の直線状の第１サブスリット１０１ｃ及び第２サブスリット１０１ｄを有するため、上面が上面視において概略コの字型の形状を有している。本実施形態における第１内側シールド部材１０１ａと第２内側シールド部材１０１ｂとは、上述した通り、同一構造のものを計測管１２の中心軸対称に設けている。従って、第１サブスリット１０１ｃと第２サブスリット１０１ｄとはそれぞれ、第１内側シールド部材１０１ａと第２内側シールド部材１０１ｂの流路方向における中央部に設けられている。
【００４０】
スリット部１０１ｅは、第１サブスリット１０１ｃ及び第２サブスリット１０１ｄが結合して１つのスリットを形成することにより構成される。このように、第１内側シールド部材１０１ａ及び第２内側シールド部材１０１ｂにわたってスリット部１０１ｅが形成されることにより、電極ケーブル１１５ａ及び１１５ｂを内側シールド部材１０１から引き出す際に、より大きな操作領域を得ることができ、電極ケーブル１１５ａ及び１１５ｂの操作性を向上することができる。特に、第１内側シールド部材１０１ａ及び第２内側シールド部材１０１ｂを組み付ける際に電極ケーブル１１５ａ及び１１５ｂをスリット部１０１ｅ内に挿通しながら組み付けることによって、電極ケーブル１１５ａ及び１１５ｂを内側シールド部材１０１の外部に容易に引き出すことができる。
【００４１】
電磁流量計は、できるだけ小型化することが望まれており、それに伴って中間シールド部材１１２もできるだけ小さくすることが好ましい。中間シールド部材１１２を小さくすると、上側中間シールド部材１１２ｂと内側シールド部材１０１との間の距離が狭くなっていくが、電極ケーブル１１５ａ及び１１５ｂを中間シールド部材１１２と内側シールド部材１０１との隙間を通して中間シールド部材１１２の外部に引き出す必要がある。
【００４２】
本実施形態においては、図４に示すように、屈曲部１１２ｃは、ｘ方向でスリット部１０１ｅと重なる位置におけるｙ方向の端部が、スリット部１０１ｅの長手方向の両方の端部よりも、スリット部１０１ｅの中央側に向けて突出しないように構成されていれば良い。その場合、電極ケーブル１１５ａ及び１１５ｂが内側シールド部材１０１と屈曲部１１２ｃとの間に挟み込まれてしまうことを防止することができ、電極ケーブル１１５ａ及び１１５ｂを引き回すスペースも確保しやすくなる。より好ましくは、屈曲部１１２ｃの端部は、スリット部１０１ｅの端部と一致する位置まで突出している。これにより、屈曲部１１２ｃに対して上側中間シールド部材１１２ｂをビス固定するための幅を確保しつつ、スリット部１０１ｅから引き出される電極ケーブル１１５ａ及び１１５ｂが内側シールド部材１０１と屈曲部１１２ｃとの間に挟み込まれてしまうことを防止することができる。本実施形態においては、屈曲部１１２ｃのｘ方向における全体において、ｙ方向の端部がスリット部１０１ｅの端部と重ならないように内側に突出して設けられている。
【００４３】
このように屈曲部１１２ｃにおけるｙ方向の端部が、スリット部１０１ｅの端部と重ならない位置まで突出させることによって、スリット部１０１ｅの上部で屈曲部１１２ｃの端部との間に設けた引き回しスペースを利用して電極ケーブルを引き回すことができる。なお、上述したように、上側中間シールド部材１１２ｂにおける計測管１２側の面上の中央部分に、パーマロイなどの高透磁率材料を配置した場合にも、その両側と屈曲部１１２ｃとの間に引き回しスペースを確保することができるため、電極ケーブルを引き回すスペースを好適に確保することができる。本実施形態においては、下側中間シールド部材１１２ａの屈曲部１１２ｃの上方に、平板状の上側中間シールド部材１１２ｂを載置して固定するようにしたことで、電極ケーブルの引き回しスペースを簡易に構成することができる。
【００４４】
また、スリット部１０１ｅの両端部よりも、電極ケーブル１１５ａ及び１１５ｂが接続される側の電極基板１０３ａ及び１０３ｂの端面（電極ケーブルの実装面）が内側にあることが好ましい。これにより、電極ケーブル１１５ａ及び１１５ｂをスリット部１０１ｅから引き出しやすくなり、さらに、電極ケーブル１１５ａ及び１１５ｂがスリット部１０１ｅの端部に当接しにくくなるため、本発明に係る電磁流量計の生産時に電極ケーブル１１５ａ及び１１５ｂに負荷がかかりにくくなる。
【００４５】
図４においては、上面からスリットを見た状態で、スリット端部よりも内側に電極ケーブルの実装面が位置するように配置された電極基板１０３ａ、１０３ｂの一部が見える様子を示している。
【００４６】
図５は、本実施形態に係る電磁流量計の流路方向に沿う断面図を示している。図５に示されるように、電極ケーブル１１５ａ及び１１５ｂは、内側シールド部材１０１のスリット部１０１ｅから引き出され、内側シールド部材１０１と中間シールド部材１１２との隙間を通って上方に引き出され、励磁基板４２のコネクタ４３及び４４にそれぞれ接続されている。ここで、図３に示されるように、励磁基板４２のコネクタ４３及び４４は、ｙ方向に並んで配置されている。このように、励磁基板４２のコネクタ４３及び４４をｙ方向に並べて配置することにより、２つの電極ケーブル１１５ａ及び１１５ｂが並んで収容される収容状態を形成することができる。それにより、電極ケーブル１１５ａ及び１１５ｂの引き回し方を統一することができ、電極ケーブル１１５ａ及び１１５ｂの配置のバラつきによる製品個体間のバラつきを低減することができる。そのため、電極ケーブル１１５ａ及び１１５ｂに対する放射ノイズの影響などのバラつきを低減することが可能となり、検出精度のバラつきを低減することができる。
【００４７】
図６に示す本実施形態に係る電磁流量計１のブロック図を用いてより詳しく説明する。図６には、表示制御基板４０において形成される表示制御回路部４０ａと、制御基板４１において形成される制御回路部４１ａと、励磁基板４２において形成される増幅回路部４２ａ及び励磁回路部４２ｂと、が示されている。
【００４８】
増幅回路部４２ａは、電極ケーブル１１５ａ及び１１５ｂを介して電極基板１０３ａ及び１０３ｂに接続されている。上述した通り、制御回路部４１ａは、増幅回路部４２ａからの信号出力に基づいて、表示制御回路部４０ａ及び励磁回路部４２ｂを制御する。励磁回路部４２ｂは、制御回路部４１ａからの制御信号によって励磁コイル１０９に対する励磁電流を制御する。
【００４９】
上述したように、電極１０２ａ、１０２ｂ間に発生した起電力を、電極ケーブル１１５ａ、１１５ｂによって引き出して、励磁基板４２上の増幅回路で増幅することで被測定流体の流量を測定するものである。その際に、例えば、電極ケーブル１１５ａ、１１５ｂに発生する浮遊容量Ｃなどの影響をできるだけ小さくすることが好ましいが、製品個体間のバラつきを低減することによって、予め浮遊容量Ｃの影響を考慮して流量計測を行うことが可能となる。本実施形態における電極ケーブル１１５ａ、１１５ｂの引き回し方を採用すれば、電極ケーブル１１５ａ及び１１５ｂの配置のバラつきによる製品個体間での浮遊容量や放射ノイズによる影響のバラつきを低減することができ、好適である。
【００５０】
（第２実施形態）
以下、本発明の第２実施形態に係る電磁流量計について説明する。なお、基本的な構成は第１実施形態と同様であるため、異なる部分のみ説明する。
【００５１】
図７は、本発明の第２実施形態に係る電磁流量計における中間シールド部材１１２を例示する。本実施形態においては、図７に示すように、中間シールド部材１１２の両側の屈曲部１１２ｃは、内側シールド部材１０１の上面における、スリット部１０１ｅの上流側及び下流側のいずれかの面を覆うように内側に突出して形成された規制部１１２ｄを有している。規制部１１２ｄによって、スリット部１０１ｅから引き出された電極ケーブル１１５ａ及び１１５ｂの引き出し方向を計測管１２の上流側及び下流側のどちらかに規制することができるように、規制部１１２ｄは、スリット部１０１ｅとｘ方向において重なる位置まで突出して設けられている。それにより、電磁流量計の内部における電極ケーブル１１５ａ及び１１５ｂの配置のバラつきを低減することができる。そのため、電極ケーブル１１５ａ及び１１５ｂに対する放射ノイズの影響を低減することが可能となり、検出精度にバラつきを低減することができる。
【００５２】
なお、本実施形態においては、図７に示すように、中間シールド部材１１２の両側の屈曲部１１２ｃの規制部１１２ｄを、計測管１２の上流側又は下流側に揃えて設けることによって、電極ケーブル１１５ａ及び１１５ｂの引き出し方向を、上流側又は下流側に規制するようにしているが、必ずしも中間シールド部材１１２の両側の屈曲部１１２ｃに設ける必要がない。その他の構造物や電極ケーブル１１５ａ及び１１５ｂの特性によって、スリット部１０１ｅから引き出されたいずれかの電極ケーブル１１５ａ及び１１５ｂを上流側または下流側に規制すれば十分である場合には、規制部１１２ｄを両側の屈曲部１１２ｃのいずれかに設ければよい。
【００５３】
（第３実施形態）
以下、本発明の第３実施形態に係る電磁流量計について説明する。なお、基本的な構成は第１実施形態と同様であるため、異なる部分のみ説明する。
【００５４】
図８を用いて、本発明の第３実施形態に係る電磁流量計を説明する。図８（ａ）は、電磁流量計において制御部ユニット５０を取り外した状態を示す上面図である。図８（ｂ）は、第３の実施形態に係る電磁流量計の流路方向に沿う断面図を示している。図８（ａ）及び（ｂ）に示されるように、ケース体１０の内側に、内側シールド部材１０１のスリット部１０１ｅから引き出された電極ケーブル１１５ａ及び１１５ｂを引っ掛けるための爪部材１２１及び１２２が設けられている。
【００５５】
爪部材１２１及び１２２に電極ケーブル１１５ａ及び１１５ｂを引っ掛けることにより、電磁流量計の内部における電極ケーブル１１５ａ及び１１５ｂの配置のバラつきを低減することができる。そのため、電極ケーブル１１５ａ及び１１５ｂに対する放射ノイズの影響を低減することが可能となり、検出精度にバラつきを低減することができる。
【００５６】
なお、電極ケーブル１１５ａ、１１５ｂの両方を、爪部材１２１、１２２のいずれか一方に引っ掛けて、他方の爪部材に対して励磁コイル１０９に励磁電流を供給するためのケーブルなどを引っ掛けるように構成しても良い。
【符号の説明】
【００５７】
１０  ケース体
１１  外側シールド部材
１２  計測管
１３  口金
１４  封止部材
２０  表示部
３０  操作部
４０  表示制御基板
４１  制御基板
４２  励磁基板
４３、４４、４５  コネクタ
１０１  内側シールド部材
１０２  電極
１０３  電極基板
１０４  基板ホルダ
１０５  凸部
１０６  本体部
１０７  保持部
１０８  鉄芯部
１０９  励磁コイル
１１０  磁界調整部材
１１１  銅箔シール
１１２  中間シールド部材
１１５  電極ケーブル
【図１】
2019191084.tif 000003
【図２】
2019191084.tif 000004
【図３】
2019191084.tif 000005
【図４】
2019191084.tif 000006
【図５】
2019191084.tif 000007
【図６】
2019191084.tif 000008
【図７】
2019191084.tif 000009
【図８】
2019191084.tif 000010